(57)【要約】【課題】セルブロードキャスティングシステムを活用した移動電話放送サービスシステム及びサービス方法を提供する。【解決手段】情報提供システムにて所定の音声と、文字及びイメージ形態の情報を加工してインターネット網を通じて移動電話放送システムに伝送する第１手順；前記移動電話放送システムより受信された情報の内、文字及びイメージ形態の情報及び自動音声応答システムに接続できるリンクされた電話番号を無線網を通じて多数の移動電話端末に同時に伝送する第２手順；及び前記移動電話端末にて個別的に、受信された情報に対する音声形態の情報の受信を望み、リンクされた電話番号選択の際、前記自動音声応答システムより音声形態の情報を前記電話を番号選択して、移動電話端末に提供する第３手順を含めて、構成されることを特徴とする。【選択図】図１
2004524746.tif 000002
【特許請求の範囲】
【請求項１】
セルブロードキャスティングシステム（ＣＢＳ）を活用した移動電話放送サービスを提供する方法において、
情報提供システムにて所定の音声と文字及びイメージ形態の情報を加工してインターネット網を通じて移動電話放送システムに伝送する第１手順；
前記移動電話放送システムにて受信された情報の内、文字及びイメージ形態の情報及び自動音声応答システム（ＡＲＳ）に接続できるリンクされた電話番号を無線網を通じて多数の移動電話端末に同時に伝送する第２手順；及び
前記移動電話端末にて個別的に受信された情報に対する音声形態の情報を受信することを望みリンクされた電話番号選択の際、前記自動音声応答システムにて音声形態の情報を前記電話番号を選択した移動電話端末に提供する第３手順を含めて、構成されることを特徴とするセルブロードキャスティングシステムを活用した移動電話放送サービス方法。
【請求項２】
第１項において、前記第２手順は、
移動電話放送サーバにて受信された情報の内、音声形態の情報、さらに文字及びイメージ形態の情報に区分して分離する第１段階；
自動音声応答システムにて前記分離された音声形態の情報を貯蔵する第２段階；
セルブロードキャスティングシステムにて前記分離された文字及びイメージ形態の情報を貯蔵する第３段階；及び
交換機センター（ＭＳＣ）にて前記セルブロードキャスティングシステムに貯蔵された文字及びイメージ形態の情報及び自動音声応答システムにリンクされた電話番号を基地局を経由した無線網を通じて多数の移動電話端末に同時に伝送する第４段階で構成されることを特徴とするセルブロードキャスティングシステムを活用した移動電話放送サービス方法。
【請求項３】
第１項または第２項において、
前記セルブロードキャスティングシステムを活用した移動電話放送サービス方法は、
所定の会員に加入した会員の移動電話端末に前記文字及びイメージ形態の情報を伝送し、音声形態の情報を利用する度ごとに、別途の通話料を賦課するように運営することを特徴とするセルブロードキャスティングシステムを活用した移動電話放送サービス方法。
【請求項４】
所定の音声と文字及びイメージ形態の情報を加工できるコンテンツ専用サーバと、インターネット網を通じてウェブサービスを提供できる環境を構築するためのウェブサーバ及び加工された情報の伝送に最も効率的な経路を指定するためのラウターを含む情報提供システム；
前記情報提供システムからインターネット網を通じて受信された情報を管理し、前記受信された情報を分離貯蔵して、多数の移動電話端末に実時間で同時に伝送する移動電話放送システム；及び
前記移動電話放送システムから、基地局を経由した無線網を通じて受信された、実時間の音声と、文字及びイメージ形態の情報を利用できる移動電話端末を含むことを特徴とするセルブロードキャスティングシステムを活用した移動電話放送サービスシステム。
【請求項５】
第４項において、前記移動電話放送システムは、
加工された情報の受信に最も効率的な経路を指定してやるためのラウター；
前記ラウターを経由して情報提供システムより受信した情報の内、音声形態の情報、さらに文字及びイメージ形態の情報に区分して分離するための移動電話放送サーバと、前記分離された音声形態の情報を貯蔵し、移動電話端末より情報要請の際、自動的に音声形態の情報を提供するための自動音声応答システムを含めた移動電話放送プラットホーム；
前記分離された文字及びイメージ形態の情報を貯蔵して提供するためのセルブロードキャスティングシステム；
前記セルブロードキャスティングシステムより情報を受信して管理するセルブロードキャスティングセンター；及び
前記セルブロードキャスティングセンター及び移動電話放送プラットホームより情報の提供を受け多数の移動電話端末に実時間で同時に伝送できる交換機センターを含めて構成されることを特徴とするセルブロードキャスティングシステムを活用した移動電話放送サービスシステム。
【発明の詳細な説明】
【技術分野】
【０００１】
本発明はセルブロードキャスティングシステム（ＣＢＳ）を活用した移動電話放送サービスシステム及びサービス方法に関するものにして、より詳しくは別途の情報提供システム及び移動電話放送サービスシステムを構築し、セル形態でブロードキャスティングサービスを利用して多数の移動電話端末に実時間で同一な情報を同時に送出できるセルブロードキャスティングシステムを活用した移動電話放送サービスシステム及びサービス方法に関するものである。
【背景技術】
【０００２】
従来の移動電話端末に実時間放送を伝送する方法において、短文メッセージサービスによる個別送出（Point to Point）方式、つまり、ポールリング（Polling）方式によるサービス方法が使用されてきた。
ところが、前記のようなサービス方法は１００％に近い情報到達率及びワンツウワンマーケティング（One to One Marketing）においては容易であったものの、５０万以上の多数加入者に実時間放送情報を同時に伝送するにおいてはかなりの問題点があり、また、個別送出方式に伴う個人別情報利用に伴うコストが高価になるという問題点があった。
従って、現在の移動電話端末加入者が急増した時点で多数を相手にするマスマーケティングツール（Mass Marketing Tool）への活用が切実であり、一方、多数に実時間で同時にサービスを提供するサービス方法の必要性が大きいものと言える。
【特許文献１】
国際公開第９８／１０６０４Ａ１号パンフレット
【特許文献２】
欧州特許出願公開第０９４４２７５Ａ２号公報
【特許文献３】
特開２００１−１９７０２１号公報
【特許文献４】
米国特許第６０９７９４９号公報
【発明の開示】
【発明が解決しようとする課題】
【０００３】
ここに、本発明は前記のような問題点を解決するために案出されたものにして、別途の情報提供システム及び移動電話放送システムを構築し、セル状のブロードキャスティングシステムを利用して、多数の移動電話端末に実時間で同一な情報を同時に送出できるセルブロードキャスティングシステムを活用した移動電話放送サービスシステム及びサービス方法を提供することにその目的がある。
【課題を解決するための手段】
【０００４】
前記のような、目的を達成するために本発明に伴うセルブロードキャスティングシステムを活用した移動電話放送サービス方法は、セルブロードキャスティングシステムを活用した移動電話放送サービスを提供する方法において、情報提供システムで所定の音声と文字及びイメージ状の情報を加工してインターネット網を通じて移動電話放送システムに伝送する第１手順；前記受信された情報の内、文字とイメージ形態の情報及び自動音声応答システムに接続できるリンクされた電話番号を無線網を通じて多数の移動電話端末に同時に伝送する第２手順；及び前記移動電話端末にて個別的に受信された情報に対する音声形態の情報の受信を望みリンクされた電話番号選択の際、前記自動音声応答システムにて音声形態の情報を、前記電話番号を選択した移動電話端末に提供する第３手順とを含めて構成されることを特徴とする。
【０００５】
従って、前記第２手順は移動電話放送サーバで受信された情報の内、音声形態の情報、さらに、文字及びイメージ形態の情報に区分して分離する第１段階；自動音声応答システム（ＡＲＳ）にて前記分離された音声形態の情報を貯蔵する第２段階；セルブロードキャスティングシステム（ＣＢＳ）にて前記分離された文字及びイメージ形態の情報を貯蔵する第３段階；及び交換機センター（ＭＳＣ）にて前記セルブロードキャスティングシステムに貯蔵された文字及びイメージ形態の情報及び自動音声応答システムにリンクされた電話番号を基地局を経由した無線網を通じて多数の移動電話端末に同時に伝送する第４段階に構成されるのが好ましい。
一方、前記セルブロードキャスティングシステムを活用した移動電話放送サービス方法は、運営主体の選択によって所定の情報会員として加入した移動電話端末に前記文字及びイメージ形態の情報を伝送し、音声形態の情報を利用する度ごとに別途の通話料を賦課するように運営することもできる。
【０００６】
さらに、本発明に伴うセルブロードキャスティングシステムを活用した移動電話放送サービスシステムは、所定の音声と文字及びイメージ形態の情報を加工して移動電話放送システムに提供する情報提供システム；
前記情報提供システムからインターネット網を通じて受信された情報を管理し、多数の移動電話端末に実時間で同時に伝送する移動電話放送システム；及び前記移動電話放送システムから基地局を経由した無線網を通じて受信された、実時間の音声と文字及びイメージ形態の情報を利用できる移動電話端末を含めて構成されることを特徴とする。
さらに、前記情報提供システムは、所定の情報を音声と文字及びイメージ形態の情報に加工するコンテンツ専用サーバ；インターネット網を通じてウェブサービスを提供できる環境を構築するためのウェブサーバ；及び加工された情報の伝送に最も効率的な経路を指定してやるためのラウターを含めて構成するのが好ましい。
【０００７】
さらに、前記移動電話放送システムは、加工された情報の受信に最も効率的な経路を指定してやるためのラウター；前記ラウターを経由して情報提供システムから受信した情報の内音声形態の情報、さらに、文字及びイメージ形態の情報に区分して分離するための移動電話放送サーバと、  前記分離された音声形態の情報を貯蔵し、移動電話端末から情報要請時に、自動的に音声形態の情報を提供するための自動音声応答システムを含めた移動電話放送プラットホーム；前記分離された文字及びイメージ粒態の情報を貯蔵して提供するためのセルブロードキャスティングシステム；前記セルブロードキャスティングシステムから情報を受信して管理するセルブロードキャスティングセンター；及び前記セルブロードキャスティングセンター及び移動電話放送プラットホームから情報の提供を受け多数の移動電話端末実時間で同時に伝送できる交換機センターを含めて構成するのが好ましい。
【０００８】
すなわち、請求項１に記載の本発明にかかるセルブロードキャスティングシステムを活用した移動電話放送サービス方法は、
セルブロードキャスティングシステム（ＣＢＳ）を活用した移動電話放送サービスを提供する方法において、
情報提供システムにて所定の音声と文字及びイメージ形態の情報を加工してインターネット網を通じて移動電話放送システムに伝送する第１手順；
前記移動電話放送システムにて受信された情報の内、文字及びイメージ形態の情報及び自動音声応答システム（ＡＲＳ）に接続できるリンクされた電話番号を無線網を通じて多数の移動電話端末に同時に伝送する第２手順；及び
前記移動電話端末にて個別的に受信された情報に対する音声形態の情報を受信することを望みリンクされた電話番号選択の際、前記自動音声応答システムにて音声形態の情報を前記電話番号を選択した移動電話端末に提供する第３手順を含めて、構成されることを特徴とする。
【０００９】
さらに、請求項２に記載するように、第１項において、前記第２手順は、
移動電話放送サーバにて受信された情報の内、音声形態の情報、さらに文字及びイメージ形態の情報に区分して分離する第１段階；
自動音声応答システムにて前記分離された音声形態の情報を貯蔵する第２段階；
セルブロードキャスティングシステムにて前記分離された文字及びイメージ形態の情報を貯蔵する第３段階；及び
交換機センター（ＭＳＣ）にて前記セルブロードキャスティングシステムに貯蔵された文字及びイメージ形態の情報及び自動音声応答システムにリンクされた電話番号を基地局を経由した無線網を通じて多数の移動電話端末に同時に伝送する第４段階で構成されることが好ましい。
【００１０】
また、請求項３に記載するように、第１項または第２項において、
前記セルブロードキャスティングシステムを活用した移動電話放送サービス方法は、
所定の会員に加入した会員の移動電話端末に前記文字及びイメージ形態の情報を伝送し、音声形態の情報を利用する度ごとに、別途の通話料を賦課するように運営することが好ましい。
【００１１】
また、請求項４に記載するように、所定の音声と文字及びイメージ形態の情報を加工できるコンテンツ専用サーバと、インターネット網を通じてウェブサービスを提供できる環境を構築するためのウェブサーバ及び加工された情報の伝送に最も効率的な経路を指定するためのラウターを含む情報提供システム；
前記情報提供システムからインターネット網を通じて受信された情報を管理し、前記受信された情報を分離貯蔵して、多数の移動電話端末に実時間で同時に伝送する移動電話放送システム；及び
前記移動電話放送システムから、基地局を経由した無線網を通じて受信された、実時間の音声と、文字及びイメージ形態の情報を利用できる移動電話端末を含むことが好ましい。
【００１２】
さらに、請求項５に記載するように、第４項において、前記移動電話放送システムは、
加工された情報の受信に最も効率的な経路を指定してやるためのラウター；
前記ラウターを経由して情報提供システムより受信した情報の内、音声形態の情報、さらに文字及びイメージ形態の情報に区分して分離するための移動電話放送サーバと、前記分離された音声形態の情報を貯蔵し、移動電話端末より情報要請の際、自動的に音声形態の情報を提供するための自動音声応答システムを含めた移動電話放送プラットホーム；
前記分離された文字及びイメージ形態の情報を貯蔵して提供するためのセルブロードキャスティングシステム；
前記セルブロードキャスティングシステムより情報を受信して管理するセルブロードキャスティングセンター；及び
前記セルブロードキャスティングセンター及び移動電話放送プラットホームより情報の提供を受け多数の移動電話端末に実時間で同時に伝送できる交換機センターを含めて構成されることが好ましい。
【発明の効果】
【００１３】
本発明によれば、有用な情報を多数の移動電話端末に実時間で同時に送出することができ、基地局別に情報サービスを提供することもでき、マスマーケティングツール（Mass Marketing Tool）への活用が容易な効果がある。
【発明を実施するための最良の形態】
【００１４】
以下、添付された図面を参照しながら本発明を詳細に説明する。
図１は本発明に伴う移動電話放送サービスシステムの概略図である。
図１を参照して詳細に説明すれば、先ず本発明のシステムは情報提供システム（１０）、移動電話放送システム（３０）、移動電話端末（５０）、さらにこれらのシステムを相互連結するインターネット網（２０）とは別途の基地局を含めた無線網（４０）で構成されている。
【００１５】
図２を参照して前記情報提供システム（１０）を説明すれば、コンテンツ専用サーバ（１１）とウェブサーバ（１２）、さらに、ラウター（１３）とで構成される。
前記コンテンツ専用サーバ（１１）では最新の多様な情報を音声と文字及びイメージ形態の情報に加工する。つまり、実時間移動電話放送情報提供サービス加入者の移動電話端末（５０）に、実時間で有用な情報を提供するために多様な形態の情報を加工するものである。
さらに、ウェブサーバ（１２）ではインターネット網を通じて前記の加工された情報を移動電話放送システム（３０）に加工するためのウェブサービス環境を構築するようになり、ラウター（１３）は加工された情報を伝送するにおいて最も効率的な経路を指定してくれる。
【００１６】
図３を参照して前記移動電話放送システム（３０）を説明すれば、ラウター（３１）、移動電話放送サーバ（３２）、自動音声応答システム（ＡＲＳ：３３）、セルブロードキャスティングシステム（ＣＢＳ：３５）、ハブ（３６）、セルブロードキャスティングセンター（ＣＢＣ：３７）、ＩＧＳ（３８）、さらに、交換機センター（ＭＳＣ：３９）とで構成される。
本発明では、前記の移動電話放送サーバ（３２）と自動音声応答システム（３３）を併せて移動電話放送プラットホーム（３４）と指称する。
前記各構成要素等に対して説明すれば、先ず、ラウター（３１）は前記情報提供システム（１０）から加工され、伝送された情報の受信に最も効率的な経路を指定してくれる。
移動電話放送サーバ（３２）は前記ラウター（３１）を経由して情報提供システム（１０）から受信された情報の内で音声形態の情報と、文字及びイメージ形態の情報をそれぞれ区分して分離するようになる。
自動音声応答システム（３３）は移動電話放送サーバ（３２）で分離された音声形態の情報を貯蔵し、移動電話端末（５０）から別途の音声情報を要請する際、自動的に音声形態の情報を提供するようになる。
【００１７】
セルブロードキャスティングシステム（３５）は移動電話放送サーバ（３２）にて分離された文字及びイメージ形態の情報サービスを貯蔵するようになる。
セルブロードキャスティングセンター（３７）では前記セルブロードキャスティングシステム（３５）から情報を受信して管理し、必要な時には交換機センター（ＭＳＣ：３９）に情報を伝達するようになる。
最後に交換機センター（ＭＳＣ：３９）では、移動電話放送プラットホーム（３４）の自動音声応答システム（３３）とセルブロードキャスティングセンター（３７）から情報の提供を受けて、実時間で同時に基地局を経由した無線網を通じて多数の移動電話端末（５０）に伝送するようになる。
【００１８】
図４は本発明に伴う移動電話放送サービスのフローチャートである。
図４を参照して詳細に説明すれば、先ず、情報提供システム（１０）より加工された音声と文字及びイメージ形態の情報をインターネット網（２０）を通じて移動電話放送システム（３０）に伝送するようになる。（第１手順；Ｓ１００）。
次に、前記移動電話放送システム（３０）においては、前記受信された情報の内で文字及びイメージ形態の情報及び自動音声応答システム（３３）に接続でさるリンクされた電話番号を無線網を通じて多数の移動電話端末（５０）に実時間で同時に伝送するようになる。（第２手順；Ｓ２００）。
前記移動電話端末（５０）においては、受信された情報を利用するようになり、若し、個別的に受信された情報に対する音声形態の情報を受信するのを望むものであれば、リンクされた電話番号を選択するようになる。
そこで、前記のリンクされた電話番号の選択によって自動音声応答システム（３３）に接続され、音声形態の情報の提供を受けるようになる（第３手順：Ｓ３００）。
【００１９】
図５は前記図４の第２手順に対する具体的な一実施例に関するフローチャートである。
図５を参照して説明すれば、移動電話放送サーバ（３２）にて情報提供システム（１０）からインターネット網（２０）を通じて受信された情報の内、音声形態の情報、さらに、文字及びイメージ形態の情報にそれぞれ区分して分離するようになる（Ｓ２１０）。
分離された音声形態の情報は自動音声応答システム（３３）へ送られて別途の貯蔵手段に貯蔵されるようになる（Ｓ２２０，Ｓ２３０）。
さらに、前記分離された文字及びイメージ形態の情報はセルブロードキャスティングシステム（３５）に送られて、別途の貯蔵手段に貯蔵されるようになる（Ｓ２４０，Ｓ２５０）。
一方、前記セルブロードキャスティングシステム（３５）の貯蔵手段に貯蔵された文字及びイメージ形態の情報及び自動音声応答システムにリンクされた電話番号を交換機センター（ＭＳＣ：３９）から基地局を経由した無線網を通じて多数の移動電話端末に実時間で同時に伝送するようになる（Ｓ２６０，Ｓ２７０）。
【産業上の利用可能性】
【００２０】
本発明によれば、有用な情報を多数の移動電話端末に実時間で同時に送出することができ、基地局別に情報サービスを提供することもでき、マスマーケティングツール（Mass Marketing Tool）への活用が容易な効果がある。
【図面の簡単な説明】
【００２１】
【図１】本発明に伴う移動電話放送サービスシステムの概略図である。
【図２】本発明に伴う移動電話放送サービスシステムの内、情報提供システムの概略図である。
【図３】本発明に伴う移動電話放送サービスシステムの内、移動電話放送システムの概略図である。
【図４】本発明に伴う移動電話放送サービスのフローチャートである。
【図５】第２手順の具体的一実施例に関するフローチャートを図示したものである。
【符号の説明】
【００２２】
１０    情報提供システム
１１    コンテンツ専用サーバ
１２    ウェブサーバ
１３    ラウター
２０    インターネット網
３０    移動電話放送システム
３１    ラウター
３２    移動電話放送サーバ
３３    自動音声応答システム
３４    移動電話放送プラットホーム
３５    セルブロードキャスティングシステム
３６    ハブ
３７    セルブロードキャスティングセンター
３８    ＩＧＳ
３９    交換機センター
４０    無線網
５０    移動電話端末
【図１】
2004524746.tif 000003
【図２】
2004524746.tif 000004
【図３】
2004524746.tif 000005
【図４】
2004524746.tif 000006
【図５】
2004524746.tif 000007
【国際公開パンフレット】
2004524746.tif 000008
2004524746.tif 000009
2004524746.tif 000010
2004524746.tif 000011
2004524746.tif 000012
2004524746.tif 000013
2004524746.tif 000014
2004524746.tif 000015
2004524746.tif 000016
2004524746.tif 000017
2004524746.tif 000018
2004524746.tif 000019
2004524746.tif 000020
2004524746.tif 000021
【国際調査報告】
2004524746.tif 000022
2004524746.tif 000023